(57)【要約】  【課題】本発明は、台詞が対応付けられた一連の静止画像が順次切り替えられて表示される静止画像表示切替システムに関し、特別な操作を要せず、台詞読み上げに応じて容易にタイミングよく静止画像の切り替え表示を行うことを目的とする。  【解決手段】音声検出手段２１が、音声入力部１９で所定の静止画像に対応する台詞が読み上げられたときの台詞音声の音声入力信号の有無を検出し、第１の画像表示制御手段３２が設定時間データ部３１に記憶した設定時間内に音声検出手段２１が音声入力信号を検出しなかった場合に、表示制御部１６に対して次の静止画像を画像ＤＢ３３より抽出して送出することで画像表示部１７の表示切り替えを行わせる構成とする。  【選択図】  図１
2008035227.tif 000002
【特許請求の範囲】
【請求項１】
台詞が関連付けられた一連の静止画像を順次切り替え表示させる静止画像表示切替システムであって、
静止画像記憶部、音声入力部、音声検出手段、計測手段、設定時間データ部、第１の画像表示制御手段及び第１の表示部を備え、
前記静止画像記憶部は、一連で構成される複数の静止画像を一組として所定数記憶し、
前記音声入力部は、台詞音声を入力して音声入力信号とし、
前記音声検出手段は、前記音声入力部からの前記音声入力信号の有無を検出し、
前記計測手段は、時間を計測し、
前記設定時間データ部は、設定時間を記憶し、
前記第１の画像表示制御手段は、前記第１の表示部に前記一連の静止画像を前記静止画像記憶部より抽出して最終静止画像まで順次切り替え表示させるものであり、前記音声検出手段からの音声入力信号の有無を入力し、前記設定時間データ部の設定時間内に当該音声検出手段が音声入力信号を検出しなかった場合に次の静止画像の表示切り替えを行わせる
ことを特徴とする静止画像表示切替システム。
【請求項２】
台詞が関連付けられた一連の静止画像を順次切り替え表示させる静止画像表示切替システムであって、
静止画像記憶部、音声入力部、計測手段、音声検出手段、設定時間データ部、第１の画像表示制御手段及び第１の表示部を備え、
前記静止画像記憶部は、一連で構成される複数の静止画像を一組として所定数記憶するもので、記憶されている一組の各静止画像のそれぞれに、各静止画像の台詞読み上げの台詞基本時間を関連付けて記憶し、
前記音声入力部は、台詞音声を入力して音声入力信号とし、
前記計測手段は、時間を計測し、
前記音声検出手段は、現に表示されている静止画像に関連付けられた前記台詞基本時間が計測された後から前記音声入力部からの音声入力信号の有無を検出し、
前記設定時間データ部は、設定時間を記憶し、
前記第１の画像表示制御手段は、前記第１の表示部に前記一連の静止画像を前記静止画像記憶部より抽出して最終静止画像まで順次切り替え表示させるものであり、前記音声検出手段からの音声入力信号の有無を入力し、前記設定時間データ部の設定時間内に当該音声検出手段が音声入力信号を検出しなかった場合に次の静止画像の表示切り替えを行わせる
ことを特徴とする静止画像表示切替システム。
【請求項３】
請求項１又は２記載の静止画像表示切替システムであって、さらに台詞記憶手段、台詞表示制御手段及び第２の表示部を備え、
前記台詞記憶手段は、前記一連で構成される静止画像毎の台詞テキストデータを記憶し、
前記台詞表示制御手段は、前記第２の表示部に、前記第１の表示部に現に表示されている静止画像に対応する台詞テキストデータを前記台詞記憶手段より抽出して表示させることを特徴とする静止画像表示切替システム。
【請求項４】
請求項３記載の静止画像表示切替システムであって、さらに第２の画像表示制御手段を備え、前記第２の表示部に、前記第１の表示部に現に表示されている静止画像を表示させることを特徴とする静止画像表示切替システム。
【発明の詳細な説明】
【技術分野】
【０００１】
本発明は、台詞が対応付けられた一連の静止画像が順次切り替えられて表示される静止画像表示切替システムに関する。
【背景技術】
【０００２】
近年、顧客相手や社内的にプレゼンテーションが盛んに行われるようになってきており、作成した説明（台詞）対象の一連の静止画像をプロジェクタ等で順次切り替えて表示させることが行われている。一方、一連のデジタル静止画像を昔ながらの紙芝居に見立てて、台詞を読み上げながら順次各シーンの画像を表示させるデジタル紙芝居も知られている。このようなプレゼンテーションやデジタル紙芝居等においては、静止画像の切り替え表示を説明や台詞読み上げに応じて容易にタイミングよく行わなければならない。
【０００３】
例えば、デジタル紙芝居では、一つのシーンの静止画像を表示させた状態で台詞を読み上げたところで切替スイッチ等により次のシーンの静止画像に切り替えるというもので、簡潔で機能的な構成となっている。一方、プレゼンテーションにおいて、静止画像を切り替える手法として以下の特許文献で提案されているものがある。
【０００４】
【特許文献１】特開２００３−２１６１７４号公報
【０００５】
上記特許文献では、プレゼンテーション実現のためのプロジェクタの遠隔操作装置に関して、マイクからのプレゼンタの音声のうちの、所定の音声データを認識して画像表示を切り替えるというもので、当該画像切り替えのための音声データをプレゼンタが発するときにマイクに設けられたコマンダを操作して、当該音声データを入力させると共に、当該音声をスピーカより発しないようにしたものとして提案されている。
【発明の開示】
【発明が解決しようとする課題】
【０００６】
しかしながら、上記デジタル紙芝居のシステムでは静止画像の切り替えをマニュアル操作するためのスイッチ類を必要とすることから、読み上げ者にマイクの他にスイッチ類のものの携帯を余儀なくされ、スイッチの誤操作による意に反する画像切り替えの事態を生じ、これに伴って表示画像を戻して表示させようとする場合にはその分の機構が必要となると共に、操作が複雑となるという不都合がある。このような不都合を回避させるために、台詞の長さに応じた時間を定めて自動的に切り替える機構を採用することも想定されるが、台詞の長短や、読み上げ速度によっては切り替えのタイミングが異なるという問題がある。
【０００７】
一方、上記特許文献で提案されている画像切り替えの手法では、画像切り替えのときの音声データを入力させるときにコマンダを操作する必要があることから、操作自体を行うという煩わしさがあり、また、コマンダの誤操作により、画像は切り替わらないが、音声がスピーカより出力されない事態を生じるという問題がある。
【０００８】
そこで、本発明は上記課題に鑑みなされたもので、特別な操作を要せず、台詞読み上げに応じて容易にタイミングよく静止画像の切り替え表示を行う静止画像表示切替システムを提供することを目的とする。
【課題を解決するための手段】
【０００９】
上記課題を解決するために、請求項１の発明では、台詞が関連付けられた一連の静止画像を順次切り替え表示させる静止画像表示切替システムであって、静止画像記憶部、音声入力部、音声検出手段、計測手段、設定時間データ部、第１の画像表示制御手段及び第１の表示部を備え、前記静止画像記憶部は、一連で構成される複数の静止画像を一組として所定数記憶し、前記音声入力部は、台詞音声を入力して音声入力信号とし、前記音声検出手段は、前記音声入力部からの前記音声入力信号の有無を検出し、前記計測手段は、時間を計測し、前記設定時間データ部は、設定時間を記憶し、前記第１の画像表示制御手段は、前記第１の表示部に前記一連の静止画像を前記静止画像記憶部より抽出して最終静止画像まで順次切り替え表示させるものであり、前記音声検出手段からの音声入力信号の有無を入力し、前記設定時間データ部の設定時間内に当該音声検出手段が音声入力信号を検出しなかった場合に次の静止画像の表示切り替えを行わせる構成とする。
【００１０】
請求項２の発明では、台詞が関連付けられた一連の静止画像を順次切り替え表示させる静止画像表示切替システムであって、静止画像記憶部、音声入力部、計測手段、音声検出手段、設定時間データ部、第１の画像表示制御手段及び第１の表示部を備え、前記静止画像記憶部は、一連で構成される複数の静止画像を一組として所定数記憶するもので、記憶されている一組の各静止画像のそれぞれに、各静止画像の台詞読み上げの台詞基本時間を関連付けて記憶し、前記音声入力部は、台詞音声を入力して音声入力信号とし、前記計測手段は、時間を計測し、前記音声検出手段は、現に表示されている静止画像に関連付けられた前記台詞基本時間が計測された後から前記音声入力部からの音声入力信号の有無を検出し、前記設定時間データ部は、設定時間を記憶し、前記第１の画像表示制御手段は、前記第１の表示部に前記一連の静止画像を前記静止画像記憶部より抽出して最終静止画像まで順次切り替え表示させるものであり、前記音声検出手段からの音声入力信号の有無を入力し、前記設定時間データ部の設定時間内に当該音声検出手段が音声入力信号を検出しなかった場合に次の静止画像の表示切り替えを行わせる構成とする。
【００１１】
請求項３、４の発明では、「さらに台詞記憶手段、台詞表示制御手段及び第２の表示部を備え、前記台詞記憶手段は、前記一連で構成される静止画像毎の台詞テキストデータを記憶し、前記台詞表示制御手段は、前記第２の表示部に、前記第１の表示部に現に表示されている静止画像に対応する台詞テキストデータを前記台詞記憶手段より抽出して表示させる」構成であり、
「さらに第２の画像表示制御手段を備え、前記第２の表示部に、前記第１の表示部に現に表示されている静止画像を表示させる」構成である。
【発明の効果】
【００１２】
本発明によれば、所定の静止画像に対応する台詞が読み上げられたときの台詞音声の音声入力信号の有無を検出し、予め設定した設定時間内に音声入力信号を検出しなかった場合に次の静止画像に表示切り替えを行わせ、一方、各静止画像の台詞読み上げの台詞基本時間を関連付けておき、台詞基本時間の経過後から当該音声入力信号の有無を検出し、予め設定した設定時間内に音声入力信号を検出しなかった場合に次の静止画像に表示切り替えを行わせる構成とすることにより、特別な操作を要せず、台詞読み上げに応じて容易にタイミングよく静止画像の切り替え表示を行うことができるものである。
【発明を実施するための最良の形態】
【００１３】
以下、本発明の最良の実施形態を図により説明する。
図１に本発明に係る静止画像表示切替システムの第１実施形態のブロック構成図を示すと共に、図２に図１の画像ＤＢの説明図を示す。図１において、静止画像表示切替システム１１は、バス１２、中央制御部１３、ＲＯＭ１４、ＲＡＭ１５、表示制御部１６、第１の表示部である画像表示部１７、アンプ１８、音声入力部であるマイク１９、スピーカ２０、音声検出手段２１、計測手段２２、記憶装置２３及び操作部２４を適宜備える。また、記憶装置２３には、設定時間データ部３１、第１の画像表示制御手段３２及び画像記憶手段である画像ＤＢ（画像データベース）３３が記憶される。
【００１４】
中央制御部１３は、このシステムを統括的に処理制御する物理的なＣＰＵであり、ＲＯＭ１４に記憶されているプログラムに基づくアルゴリズム処理を行う。上記ＲＡＭ１５は、種々のプログラムを展開、実行させるための作業領域としての役割をなすもので、例えば半導体メモリで構成され、仮想的にハードディスク上に構築される場合をも含む概念である。上記表示制御部１６は、後述の第１の画像表示制御手段３２より送られてくる画像をデコードして画像表示部１７に表示させる電子回路及びこれに付随したプログラムを備える。当該画像表示部１７としては例えば、プロジェクタスクリーン、ブラウン管（ＣＲＴ）ディスプレイ、液晶ディスプレイ（ＬＣＤ）、プラズマディスプレイ（ＰＤＰ）等がある。上記アンプ１８は、マイク１９より入力される音声を増幅してスピーカ２０より出力する電子回路である。マイク１９より入力された台詞音声が音声入力信号となる。
【００１５】
上記音声検出手段２１は、マイク１９から入力される台詞音声である音声入力信号の有無を検出するプログラムであり、ＲＡＭ１５に展開されて実行される。上記計測手段２２は、所定のタイミングで時間計測するためのもので、上記音声検出手段２１や第１の画像表示制御手段３２と連関する。なお、この計測手段２２を音声検出手段２１、第１の画像表示制御手段３２の内部に含ませてもよい。また、上記操作部２４は、電源ボタンやスタートボタン等のスイッチ類を備えたものである。
【００１６】
上記記憶装置２３に記憶される設定時間データ部３１は、静止画像の表示切り替えのための設定時間が記憶されたメモリである。上記記憶装置２３に記憶される第１の画像表示制御手段３２は、画像表示部１７に一連の静止画像を上記画像ＤＢ３３より抽出して最終静止画像まで順次切り替え表示させるものであり、音声検出手段２１からの音声入力信号の有無を入力し、設定時間データ部３１に記憶された設定時間内に当該音声検出手段２１が音声入力信号を検出しなかった場合に次の静止画像の表示切り替えを行わせるプログラムであり、ＲＡＭ１５に展開されて実行される。
【００１７】
上記記憶装置２３に記憶される静止画像記憶部である画像ＤＢ３３は、一連で構成される複数の静止画像を一組として所定数記憶させておくデータベースである。例えば、図２に示すように、一組の関連する一連の静止画像（例えば第１画像から第１０画像）が当該画像ファイル名で特定されて記憶されるものである。
【００１８】
そこで、図３に、図１の表示切替の第１実施形態のフローチャートを示す。静止画像表示切替システム１１においては、操作部２４でスタートボタンが押された後、第１の画像表示制御手段３２が画像ＤＢ３３より抽出した所定の静止画像データが表示制御部１６に送出され、当該表示制御部１６が静止画像データをデコードして画像表示部１７に表示させるもので、当該第１の画像表示制御手段３２より表示制御部１６に送出される静止画像データによって画像表示部１７上で順次切り替わる。
【００１９】
そこで、画像表示部１７上には、所定の静止画像（第１画像以降）が表示された状態で（ステップ（Ｓ）１））、アンプ１８は、当該表示されている静止画像に応じた台詞が読み上げ者によって読み上げられてマイク１９より入力される台詞音声をスピーカ２０より適宜増幅して出力させ、一方でマイク１９より入力される台詞音声を音声入力信号として随時入力する。この音声入力信号の有無を音声検出手段２１が随時検出する（Ｓ２）。
【００２０】
台詞読み上げ者による台詞音声が途切れ、音声検出手段２１が音声入力信号を検出しないと（Ｓ２）、第１の画像表示制御手段３２が計測手段２２に時間計測を開始させる（Ｓ３）。ここで、台詞読み上げ者による読み上げが行われ（Ｓ４）、また、台詞読み上げ者による台詞音声が途切れて音声検出手段２１が音声入力信号を検出しないと（Ｓ２）、第１の画像表示制御手段３２が計測手段２２による時間計測を最初から開始させる（Ｓ３）。
【００２１】
そして、第１の画像表示制御手段３２に予め設定されている設定時間内に、台詞読み上げ者による音声検出手段２１が音声入力信号を検出しない時間が設定時間データ部３１に記憶されている設定時間に達すると（Ｓ５）、当該第１の画像表示制御手段３２では、次の静止画像の画像データを画像ＤＢ３３より抽出して表示制御部１６に送出する（Ｓ６）。表示制御部１６では、第１の画像表示制御手段３２より送られてきた静止画像データをデコードして画像表示部１７に表示させることで当該静止画像の表示切り替えが行われる。
【００２２】
当該第１の画像表示制御手段３２では、表示されている静止画像が把握されていることから、画像表示部１７上に表示されている静止画像を特定することができ、上記静止画像の切り替えの処理が一連の全静止画像として表示される最終画像まで繰り返されるものである（Ｓ７）。
【００２３】
このように、台詞の読み上げ者による台詞読み上げ状態で静止画像の切り替えを行うことから、特別な操作を要せず、台詞読み上げに応じて容易に、しかもタイミングよく静止画像の切り替え表示を行うことができるものである。
【００２４】
次に、図４に、本発明の第２実施形態における画像ＤＢの説明図を示す。図４において、画像ＤＢ３３は、記憶されている一組の各静止画像のそれぞれに、各静止画像の台詞読み上げの台詞基本時間を関連付けて記憶させたものとして示している。なお、当該第２実施形態では、図１の音声検出手段２１は、現に表示されている静止画像に関連付けられた上記台詞基本時間が計測された後からマイク１９より入力される台詞音声の音声入力信号の有無を検出することとしている。
【００２５】
そこで、図５に本発明の第２実施形態における表示切替のフローチャートを示すと共に、図６に本発明の第２実施形態における表示切替の説明図を示す。ここで、台詞読み上げ者による台詞読み上げが、画像ＤＢ３３の当該静止画像に関連付けられている台詞基本時間前後で読み上げられれば、図６（Ａ）に示すように、上記第１の画像表示制御手段３２が、台詞基本時間経過から設定時間経過の後に、現表示の静止画像から次の静止画像データが画像ＤＢ３３より抽出して表示制御部１６に出力する。しかしながら、台詞読み上げ者を一定とせず、例えば不特定人に行わせると台詞読み上げ時間が異なってくることから、台詞基本時間を基準に静止画像切り替えを行わせる場合には、台詞読み上げ時間を考慮しなければならない。
【００２６】
すなわち、図５において、画像表示部１７上には、所定の静止画像（第１画像以降）が表示された状態から第１の画像表示制御手段３２が計測手段２２に対して時間計測を開始させるもので（Ｓ１１）、当該表示されている表示画像に応じた台詞が読み上げ者によってマイク１９より読み上げられる。そして、計測手段２２の時間計測により台詞基本時間が経過すると（Ｓ１２）、マイク１９より入力される台詞音声の音声入力信号の有無を音声検出手段２１が随時検出する（Ｓ１３）。
【００２７】
台詞読み上げ者による台詞音声が途切れ、音声検出手段２１が音声入力信号を検出しないと（Ｓ１３）、第１の画像表示制御手段３２が計測手段２２に時間計測を新たに開始させる（Ｓ１４）。ここで、台詞読み上げ者による読み上げが行われ（Ｓ１５）、また、台詞読み上げ者による台詞音声が途切れて音声検出手段２１が音声入力信号を検出しないと（Ｓ１３）、第１の画像表示制御手段３２が計測手段２２による時間計測を最初から開始させる（Ｓ１４）。
【００２８】
そして、第１の画像表示制御手段３２に予め設定されている設定時間内に、台詞読み上げ者による音声検出手段２１が音声入力信号を検出しない時間が設定時間データ部３１に記憶されている設定時間に達すると（Ｓ１６）、当該第１の画像表示制御手段３２では、次の静止画像の画像データを画像ＤＢ３３より抽出して表示制御部１６に送出する（Ｓ１７）。表示制御部１６では、第１の画像表示制御手段３２より送られてきた静止画像データをデコードして画像表示部１７に表示させることで当該静止画像の表示切り替えが行われる。
【００２９】
すなわち、図６（Ｂ）に示すように、台詞基本時間が経過した時点で台詞読み上げ者が当該静止画像に対応する総ての台詞を読み上げていた場合には、当該台詞基本時間が経過から設定時間経過後に、現表示の静止画像から次の静止画像に切り替えさせる。この点で、上記第１実施形態が台詞読み上げ終了から直ちに設定時間経過で次の静止画像に表示切り替えされることと異なる。また、図６（Ｃ）に示すように、台詞基本時間が経過した時点で台詞読み上げ者が当該静止画像に対応する総ての台詞を読み上げていない場合には、台詞読み上げ終了から設定時間経過後に、現表示の静止画像から次の静止画像に切り替えさせるものである。
【００３０】
そして、当該第１の画像表示制御手段３２では、表示されている静止画像が把握されていることから、画像表示部１７上に表示されている静止画像を特定することができ、上記静止画像の切り替えの処理が一連の全静止画像として表示される最終画像まで繰り返されるものである（Ｓ１８）。
【００３１】
このように、静止画像の切り替えを、台詞基本時間を基準に行う場合であっても、上記同様に、台詞の読み上げ者による台詞読み上げ状態で静止画像の切り替えを行うことから、特別な操作を要せず、台詞読み上げに応じて容易に、しかもタイミングよく静止画像の切り替え表示を行うことができるものである。
【００３２】
次に、図７に、本発明に係る静止画像表示切替システムの第３実施形態の主要ブロック構成図を示す。図７は、静止画像表示切替システム１１の、主要な一部のブロック図であり、記憶装置２３には、さらに台詞ＤＢ４１、台詞表示制御手段４２及び第２の画像表示制御手段４３が記憶される。また、バス１２に送受信部４４が設けられ、当該送受信部４４と無線式によりデータ送信される第２の表示部である遠隔表示端末４５が備えられる。当該遠隔表示端末４５には、第２の表示部４６、第２の表示制御部４７及び送受信部４８が適宜備えられる。
【００３３】
上記台詞ＤＢ４１は、画像ＤＢ３３に記憶されている一連で構成される静止画像に関連付けられている対応の台詞データをそれぞれ記憶しておくデータベースである。なお、この台詞ＤＢ４１のデータを画像ＤＢ３３内に対応画像と関連付けて記憶させておくこととしてもよい。上記台詞表示制御手段４２は、遠隔表示端末４５に、上記画像表示部１７に現に表示されている静止画像に対応する台詞データを、台詞ＤＢ４１より抽出して送受信部４４に送出するプログラムであり、ＲＡＭ１５に展開されて実行される。上記第２の画像表示制御手段４３は、上記画像表示部１７に現に表示されている静止画像を、画像ＤＢ３３より抽出して送受信部４４に送出するプログラムであり、ＲＡＭ１５に展開されて実行される。
【００３４】
上記送受信部４４は、遠隔表示端末４５に対して、送受信部４８と無線方式で送出する電子回路である。例えば、ＩＲ方式やブルートゥース機構のピコネット接続方式などによる無線方式で接続可能であるが、有線方式であってもよい。当該遠隔表示端末４５の備える第２の表示部４６は、画像表示部１７に現に表示されている静止画像、及び、当該静止画像に対応する台詞データを表示させるディスプレイである。そして、遠隔表示端末４５の備える第２の表示制御部４７は、送受信部４８に送られてくる静止画像のデータ及び台詞データをデコードして当該静止画像を第２の表示部４６に表示させ、このときに台詞データをテロップ状態で表示させるものである。
【００３５】
すなわち、システムの所定の画像表示時には、画像表示部１７に現に表示されている静止画像のデータを第２の画像表示制御手段４３が抽出して遠隔表示端末４５に送出し、またこれに対応した台詞データを台詞表示制御手段４２が台詞ＤＢ４１より抽出して遠隔表示端末４５に送出することにより表示させる。
【００３６】
そこで、読み上げ者が遠隔表示端末４５に表示された静止画像及び台詞を見ながら読み上げるもので、上記のように、所定時間経過後に第１の画像表示制御手段３２が次の静止画像データを画像ＤＢ３３より抽出して表示制御部１６に送出することで画像表示部１７上の表示を切り替えさせる。このとき、第２の画像表示制御手段４３が当該画像表示部１７に現に表示されている静止画像のデータ及びその対応した台詞データを、画像ＤＢ３３及び台詞ＤＢ４１より抽出し、送受信部４４を介して遠隔表示端末４５に送出することで第２の表示部４６上で表示切り替えが行われる。これが最終画像の表示まで繰り返されるものである。
【００３７】
なお、遠隔表示端末４５に、上記画像表示部１７に現に表示されている静止画像及び台詞を表示させることとして説明したが、台詞のみの表示であってもよいが、遠隔表示端末４５に同一の静止画像を表示させることで読み上げ者の台詞読み上げに感情移入させる効果がある。また、台詞読み上げ者は、遠隔表示端末４５を見ながらマイク１９に読み上げ発声することから、当該遠隔表示端末４５にマイク機能を備えさせてもよい。
【００３８】
このように、台詞読み上げ者が遠隔表示端末４５に表示された台詞又は台詞及び静止画像を見ながら読み上げることから利便性を提供することができると共に、上記同様に、特別な操作を要せず、台詞読み上げに応じて容易に、しかもタイミングよく静止画像の切り替え表示を行うことができるものである。
【産業上の利用可能性】
【００３９】
本発明の静止画像表示切替システムは、デジタル紙芝居やプレゼンテーション等の台詞と静止画像とが対応付けられている場合の当該静止画像表示の切り替えるシステムに利用可能である。
【図面の簡単な説明】
【００４０】
【図１】本発明に係る静止画像表示切替システムの第１実施形態のブロック構成図である。
【図２】図１の画像ＤＢの説明図である。
【図３】図１の表示切替の第１実施形態のフローチャートである。
【図４】本発明の第２実施形態における画像ＤＢの説明図である。
【図５】本発明の第２実施形態における表示切替のフローチャートである。
【図６】本発明の第２実施形態における表示切替の説明図である。
【図７】本発明に係る静止画像表示切替システムの第３実施形態の主要ブロック構成図である。
【符号の説明】
【００４１】
１１            静止画像表示切替システム
１７            画像表示部
２１            音声検出手段
２２            計測手段
３１            設定時間データ部
３２            第１の画像表示制御手段
３３            画像ＤＢ
４１            台詞ＤＢ
４２            台詞表示制御手段
４３            第２の画像表示制御手段
４５            遠隔表示端末
【図１】
2008035227.tif 000003
【図２】
2008035227.tif 000004
【図３】
2008035227.tif 000005
【図４】
2008035227.tif 000006
【図５】
2008035227.tif 000007
【図６】
2008035227.tif 000008
【図７】
2008035227.tif 000009